(57)【要約】  各室（２０）の設定室温を設定する入力部（１０８１）と、各室（２０）の室温を検知する室温検知部と、指令された温度の熱媒体を生成する熱源（１０１）と、各室内（２０）空間と熱媒体とで熱交換する各室の室内端末（１０２）及び熱源（１０１）の間を循環する熱媒体の流量を調整する各室（２０）の弁（１０６）と、所定の経過時間における各室（２０）の弁（１０６）の平均開度の内、最も平均開度が大きくなる当該弁（１０６）の室（２０）を選択する室選択部（３２）と、該室（２０）の弁（１０６）の平均開度が他の室（２０）の弁（１０６）の平均開度以上で、かつ該室（２０）の室温が設定室温に近づくように熱媒体の温度を熱源（１０１）に指令する制御部（３３）とを備えた空気調和制御システム（１）なので、省エネルギーの効果がある。
2019138473.tif 000002
【特許請求の範囲】
【請求項１】
各室の設定室温を設定する入力部と、
前記各室の室温を検知する室温検知部と、
指令された温度の熱媒体を生成する熱源と、
各室内空間と前記熱媒体とで熱交換する前記各室の室内端末及び前記熱源の間を循環する前記熱媒体の流量を調整する前記各室の弁と、
所定の経過時間における前記各室の前記弁の平均開度の内、最も前記平均開度が大きくなる当該弁の室を選択する室選択部と、
該室の前記弁の前記平均開度が他の前記室の前記弁の前記平均開度以上で、かつ該室の前記室温が前記設定室温に近づくように前記熱媒体の前記温度を前記熱源に指令する制御部とを備えたことを特徴とする空気調和制御システム。
【請求項２】
請求項１に記載の空気調和制御システムであって、
前記室選択部は、最も前記弁の前記平均開度が大きくなる前記室が複数存在するときには、前記設定室温と前記室温との偏差が最も大きい前記室を選択することを特徴とする空気調和制御システム。
【請求項３】
請求項１又は請求項２に記載の空気調和制御システムであって、
前記制御部は、当該室を選択後は当該弁の前記平均開度が小さいほど、暖房では低くなるように、冷房では高くなるように前記熱媒体の前記温度を指令することを特徴とする空気調和制御システム。
【請求項４】
請求項１から請求項３のいずれか１項に記載の空気調和制御システムであって、
前記熱媒体の前記温度は、該室の前記室温、前記設定室温及び前記弁の前記平均開度を用いてＰＩ制御で求めたことを特徴とする空気調和制御システム。
【請求項５】
請求項１から請求項４のいずれか１項に記載の空気調和制御システムであって、
前記弁は、自律的に開閉し、
前記制御部は、前記弁の開閉の状態を検知していることを特徴とする空気調和制御システム。
【請求項６】
請求項１から請求項４のいずれか１項に記載の空気調和制御システムであって、
前記弁は、前記制御部からの開度指令で開度を決定し、
前記制御部は、前記室選択部が該室を選択したときには、該室の前記弁を全開とする指令を行うことを特徴とする空気調和制御システム。
【請求項７】
請求項１から請求項６のいずれか１項に記載の空気調和制御システムであって、
前記弁は、開状態か閉状態の二値となる弁、開閉状態が段階的である弁、開閉状態が連続的な弁のいずれかであることを特徴とする空気調和制御システム。
【請求項８】
各室の設定室温を設定する入力工程と、
前記各室の室温を検知する室温検知工程と、
熱源が指令された温度の熱媒体を生成する生成工程と、
前記各室の弁が各室内空間と前記熱媒体とで熱交換する前記各室の室内端末及び前記熱源の間を循環する前記熱媒体の流量を調整する調整工程と、
所定の経過時間における前記各室の前記弁の平均開度の内、最も前記平均開度が大きくなる当該弁の室を選択する室選択工程と、
該室の前記弁の前記平均開度が他の前記室の前記弁の前記平均開度以上で、かつ該室の前記室温が前記設定室温に近づくように前記熱媒体の前記温度を前記熱源に指令する制御工程とを備えたことを特徴とする空気調和制御方法。
【発明の詳細な説明】
【技術分野】
【０００１】
この発明は、熱源で加熱又は冷却を行った熱媒体を室内の空気調和機の端末に搬送し、室内を空気調和（空調）する方式の空気調和制御システム及び空気調和制御方法に関するものである。
【背景技術】
【０００２】
従来、熱源で加熱又は冷却を行った熱媒体を室内の空気調和機（空調端末）に搬送し、室内を空気調和する方式の空気調和制御システムにおいて、熱媒体の温度の目標値を決定する制御装置では、熱需要を確実に満足しながら省エネ効果を得るために、熱需要と相関の高い外気温に応じて熱媒体の温度の目標値を決定する。特許文献１では、例えば、暖房することを前提としており、予め設定した温度より外気温が高い場合には４０℃に、低い場合には６０℃に目標値を設定してシステムの効率向上を図っている。【０００３】
また、高度化した例としては、特許文献２では、建物熱損失係数（Ｑ）と建物の床面積（Ａ）、外気温（Ｔa）、設定室温（Ｔs）から必要な熱媒体の温度（Ｔos）を決定する。このとき、熱媒体の温度と室温とが安定したら空気調和システムの能力と熱需要とがバランスしたと考え、安定状態の能力を計算し、建物熱損失係数を更新する。
【先行技術文献】
【特許文献】
【０００４】
【特許文献１】特開２００１−１２４３４９
【特許文献２】特開２００９−２７５９４１
【発明の概要】
【発明が解決しようとする課題】
【０００５】
このような空気調和システムにあっては、室の使用状態、及び室内端末の最大能力に応じて、室毎に要求される熱媒体の温度がばらつくと、熱需要を満たせなくなる。例えば、特許文献２では各端末で処理する能力が均一であると仮定し、その仮定のもとで必要となる熱媒体の温度を決定している。このため、同じ熱媒体の温度を与えたときに、発揮する能力が室内端末間で異なる場合には、熱需要に対する過剰供給又は供給不足を発生する。【０００６】
この発明は、上記のような問題点を解決するためになされたものであり、すべての室で熱需要の過剰供給又は供給不足が生じず、省エネルギーとなるように熱媒体の温度を決定する空気調和制御システム及び空気調和制御方法を得ることを目的としている。
【課題を解決するための手段】
【０００７】
この発明の空気調和制御システムは、各室の設定室温を設定する入力部と、各室の室温を検知する室温検知部と、指令された温度の熱媒体を生成する熱源と、各室内空間と熱媒体とで熱交換する各室の室内端末及び熱源の間を循環する熱媒体の流量を調整する各室の弁と、所定の経過時間における各室の弁の平均開度の内、最も平均開度が大きくなる当該弁の室を選択する室選択部と、該室の弁の平均開度が他の室の弁の平均開度以上で、かつ該室の室温が設定室温に近づくように熱媒体の温度を熱源に指令する制御部とを備えた空気調和制御システムである。【０００８】
また、この発明の空気調和制御方法は、各室の設定室温を設定する入力工程と、各室の室温を検知する室温検知工程と、熱源が指令された温度の熱媒体を生成する生成工程と、各室の弁が各室内空間と熱媒体とで熱交換する各室の室内端末及び熱源の間を循環する熱媒体の流量を調整する調整工程と、所定の経過時間における各室の弁の平均開度の内、最も平均開度が大きくなる当該弁の室を選択する室選択工程と、該室の弁の平均開度が他の室の弁の平均開度以上で、かつ該室の室温が設定室温に近づくように熱媒体の温度を熱源に指令する制御工程とを備えた空気調和制御方法である。
【発明の効果】
【０００９】
この発明にかかる空気調和制御システム及び空気調和制御方法によれば、省エネルギーとなるように熱媒体の温度を決定することができる。
【図面の簡単な説明】
【００１０】
【図１】図１は本発明の実施の形態１による空気調和制御システムが導入された空間を示す概略図である。
【図２】図２は本発明の実施の形態１による空気調和制御システムを示す概略図である。
【図３】図３は本発明の実施の形態１による空気調和制御システムの水・冷媒回路を示す概略図である。
【図４】図４は本発明の実施の形態１による空気調和制御システムの状況に応じた弁の開閉動作について示した図である。
【図５】図５は本発明の実施の形態１による空気調和制御装置の構成を示した図である。
【図６】図６は本発明の実施の形態１による空気調和制御装置のフローを示した図である。
【図７】図７は本発明の実施の形態１による空気調和制御装置が行う制御を表したブロック線図である。
【図８】図８は本発明の実施の形態２による空気調和制御システムの状況に応じた弁の開閉動作について示した図である。
【図９】図９は本発明の実施の形態２による空気調和制御装置の構成を示した図である。
【図１０】図１０は本発明の実施の形態２による空気調和制御装置のフローを示した図である。
【図１１】図１１は本発明の実施の形態２による空気調和制御装置が行う制御を表したブロック線図である。
【発明を実施するための形態】
【００１１】
実施の形態１．
図１は本発明の実施の形態１による空気調和制御システム１が導入された空間２を示す概略図である。実施の形態１では、熱媒体として水、熱源１０１としてヒートポンプを用いた暖房システムを例に説明する。空気調和制御システム１は空間２の中にある少なくとも２以上の隔てられた室２１，２２の空気調和（空調）を行う。空気調和制御システム１は、熱源１０１、室内端末１０２、それらを接続して水を流す配管１０３と、水を搬送するポンプ１０４から構成される。室内端末１０２としては、ラジエータ、ファンコイルユニット等が用いられる。また、給湯用の高温水を貯蔵するタンク１０５が暖房用とは別に設置されていてもよい。さらに、タンク１０５内に熱交換器を設けて、熱源１０１を往来する水と室内端末１０２を往来する水とを分別してもよい。熱源１０１で生成した温水は、配管１０３を通ってポンプ１０４で室内端末１０２まで搬送される。温水は室内端末１０２で熱媒体の(水)の熱を室内空間に放熱し、室２１，２２を加温する。放熱後、温水は配管１０３を通って熱源１０１又はタンク１０５に戻る。
【００１２】
室内端末１０２の近傍には室内端末１０２に流入する温水の流量を制御できる弁１０６が設置されている。各室２１，２２の室温を室温検知部である室温センサ１０７が検知する。弁１０６は、自律的に開閉を行い、室温を設定室温に保つ。例えば、各室２１，２２毎に設けられた室温センサ１０７が計測する室温と、設定室温との偏差によって、室温を設定室温に保つように弁１０６の開閉を自律的に行う。この偏差と現在の開閉状態とに応じて、弁１０６を開状態又は閉状態のどちらかに自律的に動作するからである。具体例としては、設定室温が２６℃の時に、室温が２５．５℃（設定室温−０．５℃）になったら開状態に、室温が２６．５℃（設定室温＋０．５℃）になったら閉状態に遷移し、それ以外の場合は現在の状態を維持するように動作する。この他にも、サーモスタットのように直接室温を計測しなくても、所望の温度近傍で開閉を繰り返す仕組みのものでもよいし、デューティー制御のアルゴリズムによって開閉状態を自律的に決定するものでもよい。
【００１３】
設定室温は空気調和制御システム１の利用者によってシステムに入力される。例えば、リモコン１０８に内蔵される入力部１０８１（図１では図示せず。）を用いて、使用者は各室２１，２２の設定室温を設定することができる。設定室温は各室２１，２２に一つずつ値が設定されてもよいし、一つの設定室温を各室２１，２２で共用してもよい。また、室内端末１０２又は弁１０６に入力部１０８１を設けて入力するようにしてもよい。さらに、室内端末１０２又は弁１０６に無線通信インターフェイスを設け、スマートフォンのような無線端末を用いて入力できるように構成してもよい。空気調和制御装置１０９は熱源１０１に有線又は無線で接続されたり、熱源１０１の筐体内に同梱されたりして、熱源１０１が生成する温水温度の目標値を熱源１０１に指令する。熱源１０１は、加熱又は冷却を行うことで指定された温度の熱媒体（この例では水）を生成することになる。
【００１４】
図２は本発明の実施の形態１による空気調和制御システム１を示す概略図である。熱源１０１で加熱又は冷却を行った熱媒体を室２１，２２の室内端末１０２にポンプ１０４で循環させる。弁１０６は、各室２１，２２の室内端末１０２及び熱源１０１の間を循環する熱媒体の流量を調整している。また、室内端末１０２は、各室２１，２２内の空間２と熱媒体とで熱交換している。空気調和制御装置１０９は、有線又は無線の通信経路１１０により、熱源１０１、弁１０６、室温センサ１０７、及びリモコン１０８と通信することができる。弁１０６からは弁開度検出手段１０６０を介して弁１０６の開閉状態を取得し、室温センサ１０７からは各室２１，２２の室温を取得し、リモコン１０８からは設定室温を取得する。空気調和制御装置１０９はこれらの情報を用いて、熱源１０１に対して生成する温水の目標温度を指令する。
【００１５】
図１及び図２では、室２１，２２が複数あることを説明するために、付番として２１及び２２を用いたが、これ以降は室２０で統一する。また、図において、同一の符号を付したものは、同一またはこれに相当するものであり、このことは明細書の全文、図面の全図において共通することである。さらに、明細書全文に表れている構成要素の形態は、あくまで例示であってこれらの記載に限定されるものではない。
【００１６】
熱源１０１は自身に内蔵される空気調和制御装置１０９にしたがって温水の目標温度を満たすように温水を生成する。また、弁１０６は、有線又は無線の通信経路１１０により、室温センサ１０７、及びリモコン１０８と通信することができる。弁１０６は室温センサ１０７から取得した温度と、リモコン１０８から取得した設定室温とを用いて自律的に開閉状態を決定する。なお、この弁１０６には、開状態か閉状態かの二値しか取れないもの、全閉から全開までの間で段階的に開閉状態を変えられるもの、連続的に全閉から全開までの開閉状態を変えられるもの、の中のいずれを用いても構わない。
【００１７】
図３は本発明の実施の形態１による空気調和制御システム１の水・冷媒回路を示す概略図である。熱源１０１は、水冷媒熱交換器１０１１、膨張弁１０１２、圧縮機１０１３、空気冷媒熱交換器１０１４、熱源ファン１０１５、冷媒配管１０１６、出湯温度センサ１０１７から構成されている。水回路の作動流体である水はポンプ１０４により駆動される。水は水冷媒熱交換器１０１１で冷媒と熱交換をして温水となり、配管１０３の中をポンプ１０４及び弁１０６を経由して、各室内端末１０２に流れる。温水は室内端末１０２で室内に熱を放熱して、温度が下がる。冷えた温水は再び水冷媒熱交換器１０１１に流入する。
【００１８】
一方、冷媒回路の作動流体である冷媒は圧縮機１０１３により駆動される。圧縮機１０１３によって昇温、昇圧した冷媒は、水冷媒熱交換器１０１１で水と熱交換を行い放熱する。冷媒は膨張弁１０１２で減圧され、低温になったうえで空気冷媒熱交換器１０１４に流入する。冷媒は空気冷媒熱交換器１０１４で熱源ファン１０１５による強制対流により空気と熱交換し昇温する。その後、冷媒は再び圧縮機１０１３に流入する。熱源１０１により生成される温水温度は出湯温度センサ１０１７で計測され、目標の出湯温度を達成するように、空気調和制御装置１０９によって圧縮機１０１３が制御される。
【００１９】
図４は本発明の実施の形態１による空気調和制御システム１の状況に応じた弁１０６の開閉動作について示した図である。ここでの説明では、開状態か閉状態かの二値しか取れない弁１０６を例にして説明するが、全閉から全開までの間で段階的に開閉状態を変えられる弁１０６でも、また連続的に全閉から全開までの開閉状態を変えられる弁１０６でも同じことである。（ａ）から（ｅ）に示す５個のグラフの横軸は時間である。また、縦軸は弁１０６状態を示しており、上側に線があるときは開状態、下側に線があるときは閉状態であることを意味している。
【００２０】
中央に示している（ａ）基準の状態に対して、（ｂ）室２０の負荷が小さくなったり、（ｃ）温水温度が高くなったりする場合には、基準と同じ弁１０６の平均開度では室温が上昇してしまうため、弁１０６が開状態となる時間を短くして、室内端末１０２への供給熱量を小さくする。ここで、（ｂ）と（ｃ）とでグラフの波形が異なっている。（ａ）の基準に較べて弁１０６の開閉頻度が、（ｂ）の負荷が小さい場合では少なくなり、（ｃ）の温水温度が高い場合では多くなる。これは（ｃ）の弁１０６が開状態で温水温度が高い場合には、より早く室内端末１０２に熱が供給されるため、閉状態への移行が早くなるからである。
【００２１】
逆に、（ｄ）室２０の負荷が大きくなったり、（ｅ）温水温度が低くなったりする場合には、基準と同じ弁１０６の平均開度では室温を維持できないため、弁１０６は開状態の時間を長くして、室内端末１０２への供給熱量を大きくする。（ａ）の基準に較べて弁１０６の開閉頻度が、（ｄ）の負荷が大きい場合では多くなり、（ｃ）の温水温度が低い場合では少なくなる。（ｅ）の温水温度が低い場合には、室内端末１０２に熱を十分に供給するために、弁１０６の開状態が長くなっている。
【００２２】
このことから、同じ温水温度が各室内端末１０２に供給されている場合には、各室２０の弁１０６の開閉状態を比較することで、負荷の大きい室２０を特定でき（弁１０６が最も開状態の割合が高い）、ひいては最も高い温水温度を要求する室２０を特定することができる。各室内端末１０２の最大能力が異なっている場合には、必ずしも負荷の大小を特定することができないが、各室２０の弁１０６の開閉状態の内、最も開状態の割合が大きい弁１０６の室２０を特定することで、最も高い温水温度を要求する室２０を特定することができる。
【００２３】
また、負荷を保った状態で温水温度を下げていくと、開閉を繰り返す回数が少なくなり、あるところで開状態を保ったまま、かつ、室温を維持している状態に到達する。この状態からさらに温水温度を下げると、室２０の負荷を処理することができなくなり、室温が低下していく。
【００２４】
本発明は、各室２０の弁１０６毎に所定の経過時間における弁１０６の平均開度を計算することで、最も高い温水温度を要求する室２０を特定し、当該弁１０６の平均開度が可能な限り大きくなり、かつ室温が維持されるような温水温度を出湯温度の目標値として熱源１０１に指令する。これによって、負荷を満足しつつ、最も低い温水温度となるので、省エネルギーとなる。
【００２５】
ここで、弁１０６の平均開度について説明する。まず、開閉状態に開状態と閉状態との二値しか選択できない弁１０６を用いる場合は、開状態を開度１００％、閉状態を開度０％とした開度を与え、所定の経過時間における平均開度である。次に、開閉状態に段階的な値を選択できる弁１０６を用いる場合は、開閉状態から開度を計算できる方法を用いて計算した値、開閉状態の各段階に対応する開度の値等を用いて求めた所定の経過時間における平均開度である。最後に、開閉状態に連続的な値を選択できる弁１０６を用いる場合は、開閉状態から開度を計算できる方法を用いて計算した値、開閉状態を段階に区切ったときの各段階に対応した開度の値等を用いて求めた所定の経過時間における平均開度である。
【００２６】
また、所定の経過時間としては、例えば、１０秒、３０秒といった空気調和制御装置１０９による演算周期に基づくものでもよいし、例えば、１０分、６０分といった比較的長めの時間でもよい。さらに、例えば、空気調和制御システム１の立ち上げ直後と、動作が立ち上げ直後と比較して相対的に安定しているときとで、弁１０６の平均開度を求める祭の所定の経過時間を変更してもよい。
【００２７】
図５は本発明の実施の形態１による空気調和制御装置１０９の構成を示した図である。空気調和制御装置１０９は、室選択部３２と制御部３３と記憶媒体である記憶部３１とを備える。室選択部３２及び制御部３３は、演算処理装置であるプロセッサで構成されている。室選択部３２は、平均開度計算部３２１と比較部３２２と偏差計算部３２３とを備え、制御部３３は、制御演算部３３１と指令部３３２とを備える。図中でｉと表記のあるものは複数ある全ての要素を表す。例えば、弁ｉは各室２０毎にある全ての弁１０６を意味している。
【００２８】
自律的に開閉する弁ｉの開閉状態を弁開度検出手段１０６０を介して制御部３３は検知する。より具体的には、弁ｉの開閉状態は弁開度検出手段１０６０により検出され、弁ｉの開閉状態は時間履歴として所定の経過時間分を記憶部３１に記憶される。平均開度計算部３２１は、弁ｉの開閉状態の時間履歴から所定の経過時間における弁ｉの平均開度を計算し、弁ｉの平均開度として記憶部３１に記憶する。比較部３２２は弁１０６の平均開度を各室２０間で比較し、最も平均開度が大きい室ｋと、室ｋの弁ｋの平均開度ｋとを記憶部３１に記憶する。偏差計算部３２３は、平均開度が最も大きい室ｋの情報を用いて、リモコン１０８に付属する入力部１０８１から得た設定室温ｉと、室温センサ１０７から得た室温ｉとから室ｋの設定室温ｋ及び室温ｋを抽出して、平均開度が最も大きい室ｋの設定室温ｋと室温ｋとの偏差を計算する。このように、室選択部３２は、所定の経過時間における各室２０の弁１０６の平均開度の内、最も平均開度が大きくなる弁ｋの室ｋを選択することになる。なお、添え字ｋは、全文を通じて最も平均開度が大きい室ｋに関するものであることを意味している。
【００２９】
制御演算部３３１は、設定室温ｋと室温ｋとの偏差ｋと、弁ｋの平均開度ｋと、前回の積分項と、前回の出湯温度の目標値とを用いて制御演算を行い、積分項と、出湯温度の目標値とを記憶部３１に記憶する。記憶部３１に記憶された積分項及び出湯温度の目標値は、次の制御ステップにおいて前回値として用いられる。出湯温度の目標値は、制御部３３の指令部３３２から熱源１０１に指令され、熱源１０１は出湯温度の目標値に従って温水を生成する。なお、ＰＩ制御を用いて平均開度が大きくなるように出湯温度を低くしたが、本発明は、制御方式をＰＩ制御に限定するものではない。制御部３３が室ｋの弁ｋの平均開度が他の室２０の弁１０６の平均開度以上で、かつ室ｋの室温が設定室温に近づくように熱媒体の温度を熱源１０１に指令する制御であれば、どのような制御方式でもよい。
【００３０】
図６は本発明の実施の形態１による空気調和制御装置１０９のフローを示した図である。空気調和制御装置１０９は、式（１）のように、はじめに各室ｉについて設定温度Ｔsから室温Ｔrを引いて偏差ΔＴを計算する（ＳＴ１０１）。
【００３１】
【数１】
2019138473.tif 000003
【００３２】
次に、空気調和制御装置１０９は過去の所定時間内での各室ｉの弁ｉの平均開度を計算する（ＳＴ１０２）。各室ｉの平均開度を計算したら、各室ｉの中で最も平均開度が大きかった室ｋを制御の対象として選択する（ＳＴ１０３）。
【００３３】
この時、最も平均開度が大きかった室ｋが複数存在した場合には（ＳＴ１０４）、これらの室ｋのうち、最も偏差ΔＴが大きい室ｋを制御の対象として選択する（ＳＴ１０５）。
【００３４】
空気調和制御装置１０９は選択された室ｋの偏差ΔＴを用いてＰＩ制御の演算値を計算する。比例項ｕpは偏差ΔＴに比例ゲインＫpを乗じることで計算する（式２）（ＳＴ１０６）。
【００３５】
【数２】
2019138473.tif 000004
【００３６】
積分項の今回時間の加算値Δｕiは、偏差ΔＴに積分ゲインＫiと積分時間ｔiを乗じて計算する（式３）（ＳＴ１０７）。
【００３７】
【数３】
2019138473.tif 000005
【００３８】
通常のＰＩ制御の比例項、積分項に加えて、弁ｋの全開値である最大開度φｍａｘから所定の経過時間における弁ｋの平均開度φavgを引いて計算した平均開度の偏差Δφavgを計算する（式４）（ＳＴ１０８）。
【００３９】
【数４】
2019138473.tif 000006
【００４０】
平均開度の偏差Δφavgに補正値の係数ＫNをかけた弁ｋの閉状態にある補正値ｕNを計算する（式５）（ＳＴ１０９）。
【００４１】
【数５】
2019138473.tif 000007
【００４２】
積分項ｕiは、加算値Δｕiから補正値ｕNを減算し、前回時間の積分項ｕi’を和算して計算する（式６）（ＳＴ１１０）。
【００４３】
【数６】
2019138473.tif 000008
【００４４】
出湯温度の目標値の修正量（変化量）ΔＴsoutは、比例項ｕp、積分項ｕiを足し合わせて計算する（式７）（ＳＴ１１１）。
【００４５】
【数７】
2019138473.tif 000009
【００４６】
出湯温度の目標値Ｔsoutは、前回時間の出湯温度の目標値Ｔsout’に、目標値の修正量（変化量）ΔＴsoutを加算して計算する（式８）（ＳＴ１１２）。
【００４７】
【数８】
2019138473.tif 000010
【００４８】
図７は本発明の実施の形態１による空気調和制御装置１０９が行う制御を表したブロック線図である。図中の点線で囲まれた領域は、空気調和制御装置１０９の制御演算部３３１に該当する。空気調和制御装置１０９は、最も平均開度が大きかった室ｋを制御の対象として選択した後、室ｋの弁ｋの平均開度の偏差Δφavg、目標室温Ｔs、室温Ｔrを用いて出湯温度の目標値を計算する。熱源１０１は出湯温度の目標値の変化量ΔＴsoutを受けて、前回時間の出湯温度の目標値に変化量を足し合わせることで今回時間の出湯温度の目標値を計算する。熱源１０１は出湯温度ＴwoutがＴsoutと一致するように温水を生成する。温水は室内端末１０２で室２０に熱Ｑを放熱し、室温Ｔｒが変化する。
【００４９】
このように出湯温度の目標値を決めると、室温が低い状態から暖房が運転を開始した場合には、室温が設定室温に近づくまでの間は、弁ｋが開閉することがないため、補正値が０となる。出湯温度の目標値は通常のＰＩ制御で制御され、出湯温度の目標値が上昇していくように計算される。
【００５０】
室温が設定室温に到達した後は、弁ｋが開閉を繰り返しながら室温を維持する。このとき、比例項が０となり、積分項はそれまでの室温の履歴に応じた値をとる。通常のＰＩ制御では、弁ｋの開閉に基づき室温は設定室温付近で上下するため、時間平均的にみると、積分項はその値を維持する。このため、目標の出湯温度はその状態から下がらない。
【００５１】
一方、本発明では、弁ｋの開閉があるかぎり、平均開度の偏差が０とならないため、積分項の値が減算される。このため目標の出湯温度は、弁ｋの平均開度の偏差が０となるように、すなわち弁ｋの平均開度が最大開度に近づくように変化する。
【００５２】
弁ｋの平均開度の偏差が０になると、室温が設定室温に維持されている限り、目標の出湯温度が変化することはない。すなわち、室温を設定室温に保つため、過剰供給でもなく供給不足でもない出湯温度で空気調和制御システム１が運転する。
【００５３】
負荷の変化及び設定室温の変更にともなって、室温が設定室温より低くなった場合は、暖房開始時と同様にＰＩ制御に基づき出湯温度の目標値が上昇していくように計算される。
【００５４】
室温が設定室温より高くなった場合は、再び、弁１０６の開閉に基づき室温が設定室温に維持される。このとき、弁ｋの平均開度の偏差が０より大きい値になるため、積分項の値が減算される。このため、目標の出湯温度は、平均開度の偏差が０に近づくように、すなわち、弁ｋの開度が前回に近づくように変化する。
【００５５】
制御対象となった室ｋ以外の室２０では、平均開度の偏差が０に近い場合は、制御対象の室ｋと同様に温水温度が負荷を満足しつつ、最も低い温度を実現している。もし、設定室温より室温が低い室２０が存在する場合は、制御対象がその室２０（新たな室ｋ）に移り、そのような状況が解消される。弁ｋの平均開度の偏差が０より大きい場合、温水温度は室ｋで最低限必要な温度よりも高い状態であるといえる。
【００５６】
しかしながら、出湯温度を下げると制御対象となる室ｋの室温が維持できなくなるため、このような変更は許容されない。このように、少なくとも一つの室ｋでは、弁１０６の平均開度の偏差が０に近い値となり、かつ室温が維持されるような温水温度の出湯温度が目標値として熱源１０１に指令され、負荷を満足しつつ、最も低い温水温度を実現する。
【００５７】
以上、熱媒体に水、熱源１０１にヒートポンプを用いた暖房システムを例に説明を行ったが、本発明の適用はこれに限定されるものではない。暖房だけでなく冷房システムにも適用は可能である。また、熱媒体としては水以外にもブライン、冷媒等を用いることができる。熱源１０１には電気ボイラー、ガスボイラー、チラー等を用いることができる。
【００５８】
冷房の場合は、式（６）のように補正値ｕNを減算するのではなく、式（９）のように補正値ｕNを和算すればよい。このように読み替えることで、弁ｋの平均開度の偏差が大きいときは弁ｋの平均開度の偏差が０に近づくように冷水温度が上昇する。
【００５９】
【数９】
2019138473.tif 000011
【００６０】
ここでは、熱媒体の温度は、室ｋの室温、設定室温及び弁の平均開度を用いてＰＩ制御で求めている。もっとも、制御方式はＰＩ制御に限られるものではなく、制御部３３が室ｋを選択後は弁ｋの平均開度が小さいほど、暖房では低くなるように、冷房では高くなるように熱媒体の温度を熱源１０１に指令するのであれば、制御方式は限定されない。
【００６１】
また、使用する空間２は住宅を例に説明を行ったが、本発明の適用はこれに限定されるものではない。例えば、学校等の公共施設、商業施設、病院、オフィス、食品又は薬品を保管する物品の倉庫等の空気調和制御システム１に対しても適用できる。
【００６２】
すべての室２０の熱需要を満たすような、暖房時では最も低い、冷房時では最も高い、熱媒体の温度を設定したときに、少なくとも一つの室内端末１０２で弁１０６の平均開度が可能な限り大きくなることに着目し、各室２０の室温を設定室温に保ちつつ、少なくとも一つの室内端末１０２で弁１０６の平均開度が可能な限り大きくなるような熱媒体の温度を決定し、従来よりも省エネルギーに空気調和制御システム１を運転することができる。
【００６３】
各室の設定室温を設定する入力部と、各室の室温を検知する室温検知部と、指令された温度の熱媒体を生成する熱源と、各室内空間と熱媒体とで熱交換する各室の室内端末及び熱源の間を循環する熱媒体の流量を調整する各室の弁と、所定の経過時間における各室の弁の平均開度の内、最も平均開度が大きくなる当該弁の室を選択する室選択部と、該室の弁の平均開度が他の室の弁の平均開度以上で、かつ該室の室温が設定室温に近づくように熱媒体の温度を熱源に指令する制御部とを備えたので、省エネルギーとなるように熱媒体の温度を決定することができる。
【００６４】
また、各室の設定室温を設定する入力工程と、各室の室温を検知する室温検知工程と、熱源が指令された温度の熱媒体を生成する生成工程と、各室の弁が各室内空間と熱媒体とで熱交換する各室の室内端末及び熱源の間を循環する熱媒体の流量を調整する調整工程と、所定の経過時間における各室の弁の平均開度の内、最も平均開度が大きくなる当該弁の室を選択する室選択工程と、該室の弁の平均開度が他の室の弁の平均開度以上で、かつ該室の室温が設定室温に近づくように熱媒体の温度を熱源に指令する制御工程とを備えたので、省エネルギーとなるように熱媒体の温度を決定する空気調和制御方法となる。
【００６５】
実施の形態２．
実施の形態１では弁１０６は、自律的に開閉を行うものであったが、実施の形態２の弁１０６は、外部（例えば、空気調和制御装置１０９）から開閉状態を制御できる点に構成上の相違点がある。外部から弁１０６の開閉状態を制御できるため、最大偏差の室ｋが一つに決まると、外部からその室ｋの弁ｋを全開にするように指令する。弁１０６の開閉状態を外部から制御できる場合には、少なくとも一つの室ｋで弁ｋを開状態、又は開度を１００％にして、出湯温度の目標値を制御することになる。
【００６６】
実施の形態１では開閉状態に開状態と閉状態との二値しか選択できない弁１０６を用いる場合について説明したが、実施の形態２では開閉状態が連続的な弁１０６を用いて説明する。実施の形態１と同様に弁１０６は、開状態か閉状態の二値となる弁１０６でも、開閉状態が段階的である弁１０６でもよい。
【００６７】
図８は本発明の実施の形態２による空気調和制御システム１の状況に応じた弁１０６の開度について示した図である。（ａ）から（ｅ）に示す５個のグラフの横軸は時間である。また、縦軸は弁１０６の開度であり、全開相当する開度１００％を点線で示している。（ａ）基準に対して負荷が小さくなった場合（ｂ）、及び（ａ）基準に対して温水温度が高くなった場合（ｃ）は、室内端末１０２からの放熱量を小さくするため、弁１０６の開度が小さくなる。また、（ａ）基準に対して負荷が大きくなった場合（ｄ）、及び（ａ）基準に対して温水温度が低くなった場合は、室内端末１０２からの放熱量を大きくするため、弁１０６の開度が大きくなる。このような空気調和制御システム１にあっては、少なくとも一つの室２０で、弁１０６の開度を１００％に制御した時に室温を維持できるような温水温度を実現することが目的となる。
【００６８】
図９は本発明の実施の形態２による空気調和制御装置１０９の構成を示した図である。図５との差異を説明すると、まず、指令部３３２は平均開度が最大の室ｋの弁ｋに対して全開の指令を行う。その他の室２０の弁１０６は自律的に開度を決めても良いし、室温を設定室温に保つように開度を決定し指令部３３２から制御を行ってもよい。このため、平均開度が最大の室ｋが一度選択されると、以降、該室ｋは、弁１０６の平均開度が最大の室ｋであり続ける。なお、弁１０６は指令部３３２によって開閉状態が制御されるため弁開度検出手段１０６０を省略することができる。もっとも、実施の形態１と同様に、空気調和制御装置１０９（平均開度計算部３２１）は弁開度検出手段１０６０によって弁１０６の開閉状態を取得してもよい。
【００６９】
ここで、比較部３２２において、弁１０６の平均開度が最大の室ｋを比較したときに、最大の室ｋが複数選ばれる場合がある。例えば、はじめに平均開度が最大の室ｋに選択された以外の室２０で室温が低下し、室温を回復するために弁１０６が開いている場合がある。このとき、比較部３２２は弁１０６の平均開度が最大である各室ｋについて、設定温度と室温との偏差を計算し、偏差が最大となる室ｋを平均開度が最大の室ｋとして新たに選択する。このようにすることで、最も高い温水温度を要求する部屋（室２０）が切り替わっても、はじめに平均開度が最大の室ｋに選択された室２０が弁１０６の開度を全開に選ばれ続けることを防ぐ。
【００７０】
図１０は本発明の実施の形態２による空気調和制御装置１０９のフローを示した図である。ＳＴ２０６では、選択した室ｋの弁ｋを全開にする。より具体的には、弁ｉは制御部３３からの開度指令で開度を決定し、制御部３３は室選択部３２が室ｋを選択したときには、室ｋの弁ｋを全開とする指令を行う。なお、ＳＴ２０１はＳＴ１０１と、ＳＴ２０２はＳＴ１０２と、ＳＴ２０３はＳＴ１０３と、ＳＴ２０４はＳＴ１０４と、ＳＴ２０５はＳＴ１０５と、ＳＴ２０７はＳＴ１０６と、ＳＴ２０８はＳＴ１０７と、ＳＴ２０９はＳＴ１１１と、ＳＴ２１０はＳＴ１１２と、それぞれ実質的に同じステップのため詳細な説明は省略する。
【００７１】
空気調和制御装置１０９は、まず、各室２０の偏差を設定室温と室温との差として計算する。次に、所定の経過時間内での各室２０の弁１０６の平均開度を計算し、平均開度が最大の室ｋを選択する。平均開度が最大の室ｋが複数選択された場合には最大偏差の部屋を選択する。選択した室ｋの弁ｋには、指令部３３２が全開にするように指令を出す。次に、出湯温度を決定するが、選択した室ｋの室温が設定室温に近づくように出湯温度を変化させる。例えば、室温が低い場合は出湯温度を上げるように変化させ、室温が高い場合は出湯温度を下げるように変化させる。例として、ＰＩ制御を用いる場合は、偏差に比例ゲインをかけて比例項を計算し、偏差、積分ゲイン、及び積分時間の積である今回時間の積分値と、前回時間の積分項の和とをとって積分項を計算し、比例項と積分項との和を取ることで出湯温度の目標値の変化量を計算する。最後に、指令部３３２が前回時間の出湯温度の目標値と目標値の変化量（修正量）との和をとって出湯温度の目標値を計算して、熱源１０１に指令する。
【００７２】
図１１は本発明の実施の形態２による空気調和制御装置１０９が行う制御を表したブロック線図である。図中の点線で囲まれた箇所が空気調和制御装置１０９の制御演算部３３１に相当する。熱媒体の温度は、室ｋの室温、設定室温及び弁の平均開度を用いてＰＩ制御で求めている。もっとも、制御方式はＰＩ制御に限られるものではなく、制御部３３が室ｋを選択後は弁ｋの平均開度が小さいほど、暖房では低くなるように、冷房では高くなるように熱媒体の温度を熱源１０１に指令するのであれば、制御方式は限定されない。図７との差異を説明すると、弁ｋの平均開度を制御に用いるための入力部分が取り除かれている。
【００７３】
このように構成することで、室温を設定室温に保ちながら、要求される最低限の出湯温度まで出湯温度の目標値を下げることができる。最も高い出湯温度を要求する室２０が変わってしまっても、弁１０６が全開にもかかわらず室温が設定室温に達しない室２０が現れることで検知可能であり、制御対象の室ｋを切り替えることで対応できる。
【００７４】
すべての室２０の熱需要を満たすような、暖房時では最も低い、冷房時では最も高い、熱媒体の温度を設定したときに、少なくとも一つの室内端末１０２で弁１０６の平均開度が可能な限り大きくなることに着目し、各室２０の室温を設定室温に保ちつつ、少なくとも一つの室内端末１０２で弁１０６の平均開度が可能な限り大きくなるような熱媒体の温度を決定し、従来よりも省エネルギーに空気調和制御システム１を運転することができる。
【００７５】
各室の設定室温を設定する入力部と、各室の室温を検知する室温検知部と、指令された温度の熱媒体を生成する熱源と、各室内空間と熱媒体とで熱交換する各室の室内端末及び熱源の間を循環する熱媒体の流量を調整する各室の弁と、所定の経過時間における各室の弁の平均開度の内、最も平均開度が大きくなる当該弁の室を選択する室選択部と、該室の弁の平均開度が他の室の弁の平均開度以上で、かつ該室の室温が設定室温に近づくように熱媒体の温度を熱源に指令する制御部とを備えたので、省エネルギーとなるように熱媒体の温度を決定することができる。
【００７６】
また、各室の設定室温を設定する入力工程と、各室の室温を検知する室温検知工程と、熱源が指令された温度の熱媒体を生成する生成工程と、各室の弁が各室内空間と熱媒体とで熱交換する各室の室内端末及び熱源の間を循環する熱媒体の流量を調整する調整工程と、所定の経過時間における各室の弁の平均開度の内、最も平均開度が大きくなる当該弁の室を選択する室選択工程と、該室の弁の平均開度が他の室の弁の平均開度以上で、かつ該室の室温が設定室温に近づくように熱媒体の温度を熱源に指令する制御工程とを備えたので、省エネルギーとなるように熱媒体の温度を決定する空気調和制御方法となる。
【００７７】
本願発明は、これまで述べてきた実施の形態に限定されるものではなく、本願発明の範囲内で種々に改変することができる。すなわち、これまで述べてきた実施の形態の構成を適宜改良してもよく、また、少なくとも一部を他の構成に代替させてもよい。さらに、その配置について特に限定のない構成要素は、実施の形態で開示した配置に限らず、その機能能を達成できる位置に配置することができる。また、これまで述べてきた実施の形態に開示されている複数の構成要素を適宜組み合わせることにより発明を形成してもよい。さらに、本願発明は、これまで述べてきた実施の形態の範囲ではなく、特許請求の範囲によって示され、特許請求の範囲と均等の意味および範囲内でのすべての変更を含むものである。
【符号の説明】
【００７８】
１  空気調和制御システム、２  空間、１０１  熱源、１０２  室内端末、１０３  配管、１０４  ポンプ、１０５  タンク、２０，２１，２２  室、１０６  弁、１０６０  弁開度検出手段、１０７  室温センサ、１０８  リモコン、１０９  空気調和制御装置、１１０  通信経路、１０１１  水冷媒熱交換器、１０１２  膨張弁、１０１３  圧縮機、１０１４  空気冷媒熱交換器、１０１５  熱源ファン、１０１６  冷媒配管、１０１７  出湯温度センサ、３１  記憶部、３２  室選択部、３３  制御部、３２１  平均開度計算部、３２２  比較部、３２３  偏差計算部、３３１  制御演算部、３３２  指令部、１０８１  入力部。
【図１】
2019138473.tif 000012
【図２】
2019138473.tif 000013
【図３】
2019138473.tif 000014
【図４】
2019138473.tif 000015
【図５】
2019138473.tif 000016
【図６】
2019138473.tif 000017
【図７】
2019138473.tif 000018
【図８】
2019138473.tif 000019
【図９】
2019138473.tif 000020
【図１０】
2019138473.tif 000021
【図１１】
2019138473.tif 000022
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
各室の設定室温を設定する入力部と、
前記各室の室温を検知する室温検知部と、
指令された温度の熱媒体を生成する熱源と、
各室内空間と前記熱媒体とで熱交換する前記各室の室内端末及び前記熱源の間を循環する前記熱媒体の流量を調整する前記各室の弁と、
所定の経過時間における前記各室の前記弁の平均開度の内、最も前記平均開度が大きくなる当該弁の室を選択する室選択部と、
該室の前記弁の前記平均開度が他の前記室の前記弁の前記平均開度以上で、かつ該室の前記室温が前記設定室温に近づくように該室の前記室温、前記設定室温及び前記弁の前記平均開度を用いた演算で前記熱媒体の前記温度を求めて前記熱源に指令する制御部とを備えたことを特徴とする空気調和制御システム。
【請求項２】
請求項１に記載の空気調和制御システムであって、
前記室選択部は、最も前記弁の前記平均開度が大きくなる前記室が複数存在するときには、前記設定室温と前記室温との偏差が最も大きい前記室を選択することを特徴とする空気調和制御システム。
【請求項３】
請求項１又は請求項２に記載の空気調和制御システムであって、
前記制御部は、当該室を選択後は当該弁の前記平均開度が小さいほど、暖房では低くなるように、冷房では高くなるように前記熱媒体の前記温度を指令することを特徴とする空気調和制御システム。
【請求項４】
請求項１から請求項３のいずれか１項に記載の空気調和制御システムであって、
前記熱媒体の前記温度は、ＰＩ制御で求めたことを特徴とする空気調和制御システム。
【請求項５】
請求項１から請求項４のいずれか１項に記載の空気調和制御システムであって、
前記弁は、自律的に開閉し、
前記制御部は、前記弁の開閉の状態を検知していることを特徴とする空気調和制御システム。
【請求項６】
請求項１から請求項４のいずれか１項に記載の空気調和制御システムであって、
前記弁は、前記制御部からの開度指令で開度を決定し、
前記制御部は、前記室選択部が該室を選択したときには、該室の前記弁を全開とする指令を行うことを特徴とする空気調和制御システム。
【請求項７】
請求項１から請求項６のいずれか１項に記載の空気調和制御システムであって、
前記弁は、開状態か閉状態の二値となる弁、開閉状態が段階的である弁、開閉状態が連続的な弁のいずれかであることを特徴とする空気調和制御システム。
【請求項８】
各室の設定室温を設定する入力工程と、
前記各室の室温を検知する室温検知工程と、
熱源が指令された温度の熱媒体を生成する生成工程と、
前記各室の弁が各室内空間と前記熱媒体とで熱交換する前記各室の室内端末及び前記熱源の間を循環する前記熱媒体の流量を調整する調整工程と、
所定の経過時間における前記各室の前記弁の平均開度の内、最も前記平均開度が大きくなる当該弁の室を選択する室選択工程と、
該室の前記弁の前記平均開度が他の前記室の前記弁の前記平均開度以上で、かつ該室の前記室温が前記設定室温に近づくように該室の前記室温、前記設定室温及び前記弁の前記平均開度を用いた演算で前記熱媒体の前記温度を求めて前記熱源に指令する制御工程とを備えたことを特徴とする空気調和制御方法。
【手続補正２】
【補正対象書類名】明細書
【補正対象項目名】０００７
【補正方法】変更
【補正の内容】
【０００７】
この発明の空気調和制御システムは、各室の設定室温を設定する入力部と、各室の室温を検知する室温検知部と、指令された温度の熱媒体を生成する熱源と、各室内空間と熱媒体とで熱交換する各室の室内端末及び熱源の間を循環する熱媒体の流量を調整する各室の弁と、所定の経過時間における各室の弁の平均開度の内、最も平均開度が大きくなる当該弁の室を選択する室選択部と、該室の弁の平均開度が他の室の弁の平均開度以上で、かつ該室の室温が設定室温に近づくように該室の室温、設定室温及び弁の平均開度を用いた演算で熱媒体の温度を求めて熱源に指令する制御部とを備えた空気調和制御システムである。
【手続補正３】
【補正対象書類名】明細書
【補正対象項目名】０００８
【補正方法】変更
【補正の内容】
【０００８】
また、この発明の空気調和制御方法は、各室の設定室温を設定する入力工程と、各室の室温を検知する室温検知工程と、熱源が指令された温度の熱媒体を生成する生成工程と、各室の弁が各室内空間と熱媒体とで熱交換する各室の室内端末及び熱源の間を循環する熱媒体の流量を調整する調整工程と、所定の経過時間における各室の弁の平均開度の内、最も平均開度が大きくなる当該弁の室を選択する室選択工程と、該室の弁の平均開度が他の室の弁の平均開度以上で、かつ該室の室温が設定室温に近づくように該室の室温、設定室温及び弁の平均開度を用いた演算で熱媒体の温度を求めて熱源に指令する制御工程とを備えた空気調和制御方法である。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
各室の設定室温を設定する入力部と、
前記各室の室温を検知する室温検知部と、
指令された温度の熱媒体を生成する熱源と、
各室内空間と前記熱媒体とで熱交換する前記各室の室内端末及び前記熱源の間を循環する前記熱媒体の流量を調整する前記各室の弁と、
所定の経過時間における前記各室の前記弁の平均開度の内、最も前記平均開度が大きくなる当該弁の室を選択する室選択部と、
該室の前記弁の前記平均開度が最大開度に近づくように、かつ該室の前記室温が前記設定室温に近づくように該室の前記室温、前記設定室温及び前記弁の前記平均開度を用いた演算で前記熱媒体の前記温度を求めて前記熱源に指令する制御部と
を備えたことを特徴とする空気調和制御システム。
【請求項２】
請求項１に記載の空気調和制御システムであって、
前記室選択部は、最も前記弁の前記平均開度が大きくなる前記室が複数存在するときには、前記設定室温と前記室温との偏差が最も大きい前記室を選択する
ことを特徴とする空気調和制御システム。
【請求項３】
請求項１又は請求項２に記載の空気調和制御システムであって、
前記制御部は、当該室を選択後は当該弁の前記平均開度が小さいほど、暖房では低くなるように、冷房では高くなるように前記熱媒体の前記温度を指令する
ことを特徴とする空気調和制御システム。
【請求項４】
請求項１から請求項３のいずれか１項に記載の空気調和制御システムであって、
前記熱媒体の前記温度は、ＰＩ制御で求めた
ことを特徴とする空気調和制御システム。
【請求項５】
請求項１から請求項４のいずれか１項に記載の空気調和制御システムであって、
前記弁は、自律的に開閉し、
前記制御部は、前記弁の開閉の状態を検知している
ことを特徴とする空気調和制御システム。
【請求項６】
請求項１から請求項４のいずれか１項に記載の空気調和制御システムであって、
前記弁は、前記制御部からの開度指令で開度を決定し、
前記制御部は、前記室選択部が該室を選択したときには、該室の前記弁を全開とする指令を行う
ことを特徴とする空気調和制御システム。
【請求項７】
請求項１から請求項６のいずれか１項に記載の空気調和制御システムであって、
前記弁は、開状態か閉状態の二値となる弁、開閉状態が段階的である弁、開閉状態が連続的な弁のいずれかである
ことを特徴とする空気調和制御システム。
【請求項８】
各室の設定室温を設定する入力工程と、
前記各室の室温を検知する室温検知工程と、
熱源が指令された温度の熱媒体を生成する生成工程と、
前記各室の弁が各室内空間と前記熱媒体とで熱交換する前記各室の室内端末及び前記熱源の間を循環する前記熱媒体の流量を調整する調整工程と、
所定の経過時間における前記各室の前記弁の平均開度の内、最も前記平均開度が大きくなる当該弁の室を選択する室選択工程と、
該室の前記弁の前記平均開度が最大開度に近づくように、かつ該室の前記室温が前記設定室温に近づくように該室の前記室温、前記設定室温及び前記弁の前記平均開度を用いた演算で前記熱媒体の前記温度を求めて前記熱源に指令する制御工程と
を備えたことを特徴とする空気調和制御方法。
【手続補正２】
【補正対象書類名】明細書
【補正対象項目名】０００７
【補正方法】変更
【補正の内容】
【０００７】
この発明の空気調和制御システムは、各室の設定室温を設定する入力部と、各室の室温を検知する室温検知部と、指令された温度の熱媒体を生成する熱源と、各室内空間と熱媒体とで熱交換する各室の室内端末及び熱源の間を循環する熱媒体の流量を調整する各室の弁と、所定の経過時間における各室の弁の平均開度の内、最も平均開度が大きくなる当該弁の室を選択する室選択部と、該室の弁の平均開度が最大開度に近づくように、かつ該室の室温が設定室温に近づくように該室の室温、設定室温及び弁の平均開度を用いた演算で熱媒体の温度を求めて熱源に指令する制御部とを備えた空気調和制御システムである。
【手続補正３】
【補正対象書類名】明細書
【補正対象項目名】０００８
【補正方法】変更
【補正の内容】
【０００８】
また、この発明の空気調和制御方法は、各室の設定室温を設定する入力工程と、各室の室温を検知する室温検知工程と、熱源が指令された温度の熱媒体を生成する生成工程と、各室の弁が各室内空間と熱媒体とで熱交換する各室の室内端末及び熱源の間を循環する熱媒体の流量を調整する調整工程と、所定の経過時間における各室の弁の平均開度の内、最も平均開度が大きくなる当該弁の室を選択する室選択工程と、該室の弁の平均開度が最大開度に近づくように、かつ該室の室温が設定室温に近づくように該室の室温、設定室温及び弁の平均開度を用いた演算で熱媒体の温度を求めて熱源に指令する制御工程とを備えた空気調和制御方法である。
【国際調査報告】
2019138473.tif 000023
2019138473.tif 000024
2019138473.tif 000025